(57)【要約】【課題】部品点数が少なく、かつ、容器内から針ユニットが零れ出るおそれのないペン型注射器の針ユニットの廃棄用容器を提供する。【解決手段】カヌラ２５の一部を囲繞するハブ２６を有する針ユニット２７がネジによりシリンジ３０に着脱される。ペン型注射器の針ユニット２７の廃棄用容器１において、容器１は、円筒状面５の下部から円筒状面５の軸線Ｓに向かって突出し、挿入された針ユニット２７のバブ２６の外周面に係合する複数の係合突起５２と、蓋部１０の上面においてシリンジ３０の先端面３２が当接する当接面６０を形成し、円筒状面５よりも内径が小さく、挿入孔５０に挿入されたハブ２６が径方向に位置ズレするのを規制する鍔状の外周規制部６と、を備える。【選択図】図６
2020150992.tif 000002
【特許請求の範囲】
【請求項１】
カヌラ２５と当該カヌラ２５の一部を囲繞するハブ２６とを有する針ユニット２７がネジによりシリンジ３０に着脱され、患者が自分で薬液を投与するのに適したペン型注射器の前記針ユニット２７の廃棄用容器１において、前記容器１は、
前記針ユニット２７を収容する収容部１２と、
前記収容部１２の上部に配置された蓋部１０と、
前記蓋部１０に形成され前記針ユニット２７を前記収容部１２内に向って挿入する円形状の挿入孔５０を定義する円筒状面５と、
前記円筒状面５の下部から前記円筒状面５の軸線Ｓに向かって突出し、前記挿入された針ユニット２７のバブ２６の外周面に係合する係合突起５２と、
前記蓋部１０の上面において前記シリンジ３０の先端面３２が当接する当接面６０を形成し、前記円筒状面５よりも内径が小さく、前記挿入孔５０に挿入された前記ハブ２６が径方向に位置ズレするのを規制する鍔状の外周規制部６と、を備える、容器１。
【請求項２】
請求項１において、
前記係合突起５２は前記円筒状面５の下半部にのみ設けられていることを特徴とする、容器１。
【請求項３】
請求項１もしくは２において、
前記軸線Ｓが鉛直線に沿って設定されている、容器１。
【請求項４】
請求項１，２もしくは３において、前記外周規制部６の当接面６０は、
前記円筒状面５における前記係合突起５２が設けられた第１側面５Ａに配置された第１部６１と、
前記第１側面５Ａの反対側の第２側面５Ｂに配置された第２部６２とを包含し、
前記第１部６１の上面が前記第２部６２の上面よりも上方に突出して、両上面の間にレベル差ΔＨが形成され、前記シリンジ３０の先端面３２の傾き角を規制することで前記シリンジ３０の傾き角θを規制するように構成されていることを特徴とする、容器１。
【請求項５】
請求項４において、
前記外周規制部６の当接面６０の第１部６１および第２部６２は前記当接面６０のまわりの上面よりも上方に突出した座面を形成している、容器１。
【請求項６】
請求項４もしくは５において、
前記円筒状面５の半径Ｒ１と係合突起５２の表面から前記軸線Ｓまでの距離Ｒ２との差をΔＲとしたとき、下記の式（１００）を満たす
ΔＨ／Ｄ≦ΔＲ／Ｌ    ……（１００）
但し、Ｄ：外周規制部の内径
Ｌ：円筒状面の軸方向の長さ。
【請求項７】
請求項１〜６のいずれか１項において、
前記円筒状面５には前記円筒状面５の母線に沿って延びる溝Ｇが形成され、
前記溝Ｇを定義する表面に前記係合突起５２が設けられている、容器１。
【請求項８】
請求項１〜７のいずれか１項において、
前記挿入孔５０は前記蓋部１０に設けられた廃棄用の唯一の孔である、容器１。
【発明の詳細な説明】
【技術分野】
【０００１】
本発明はペン型注射器の針ユニットの廃棄用容器に関するものである。
【背景技術】
【０００２】
従来より、たとえば、インスリンや成長ホルモンを患者が自分で注射する（自己注射）するためのペン型注射器が提案されている（特許文献参照）。
前記患者が自己注射を行えるようになるまで、看護師が前記ペン型注射器を用いて患者に注射方法を教えている。かかる場合には、前記注射を行った後、衛生上の観点から、１回の注射ごとにペン型注射器の針ユニットの交換を看護師が行っている。使用済の針ユニットは、医療廃棄物用の容器に廃棄される（特許文献参照）。
【先行技術文献】
【特許文献】
【０００３】
【特許文献１】ＪＰ２０１３−１６９２９０  Ａ（フロントページ）
【特許文献２】ＪＰ２００９−２１９８３３  Ａ（フロントページ）
【特許文献３】ＪＰ２０１６−２０９１８４  Ａ（フロントページ）
【特許文献４】ＷＯ２０１０−１２２６８３（フロントページ）
【０００４】
前記特許文献４には、針ユニットをペン型注射器の本体ケースから離脱させ、当該針ユニットを容器内に落下させる技術が開示されている。
【０００５】
すなわち、同文献４の発明では、まず、前記針ユニットを挿入孔に挿入し、第１および第２保持部により前記針ユニットの回転を規制した状態で前記本体ケースを回転させ、保持部を開いて前記挿入孔から針ユニットを落下させる。
【発明の概要】
【０００６】
しかし、前記文献４の発明では、蓋に対してスライドする部材が必ず必要となり、部品点数が増大することによるコストアップを招く。
【０００７】
また、第２保持部をスライドさせた後に、挿入孔が大きく開いた解除位置において、誤って容器を倒したりすると、容器内の多量の針ユニットの一部が零れ出るおそれがある。
【０００８】
したがって、本発明の目的は、部品点数が少なく、かつ、容器内から針ユニットが零れ出るおそれのないペン型注射器の針ユニットの廃棄用容器を提供することである。
【０００９】
本発明はカヌラ２５と当該カヌラ２５の一部を囲繞するハブ２６とを有する針ユニット２７がネジによりシリンジ３０に着脱され、患者が自分で薬液を投与するのに適したペン型注射器の前記針ユニット２７の廃棄用容器１において、前記容器１は、
前記針ユニット２７を収容する収容部１２と、
前記収容部１２の上部に配置された蓋部１０と、
前記蓋部１０に形成され前記針ユニット２７を前記収容部１２内に向って挿入する円形状の挿入孔５０を定義する円筒状面５と、
前記円筒状面５の下部から前記円筒状面５の軸線Ｓに向かって突出し、前記挿入された針ユニット２７のバブ２６の外周面に係合する複数の係合突起５２と、
前記蓋部１０の上面において前記シリンジ３０の先端面３２が当接する当接面６０を形成し、前記円筒状面５よりも内径が小さく、前記挿入孔５０に挿入された前記ハブ２６が径方向に位置ズレするのを規制する鍔状の外周規制部６と、を備える。
【００１０】
シリンジ３０から針ユニット２７を抜き取る際には、まず、注射器の針ユニット２７を挿入孔５０に挿入する。ついで、シリンジ３０を若干傾けて針ユニット２７のハブ２６を係合突起５２に係合させる。この状態でシリンジ３０を回転させることで針ユニット２７がシリンジ３０から外れる。
【００１１】
ここで、本発明においては、従来と異なりスライドする部材を必要としない。したがって、部品点数が少なくなり、容器のコストダウンを図り得る。
また、針ユニット２７を挿入する挿入孔５０は円筒状面５で定義されており、そのため、容器内に貯まった多数の針ユニット２７が挿入孔５０から零れ出るおそれがない。
【図面の簡単な説明】
【００１２】
【図１】本発明にかかる容器の一実施例を示す分解斜視図である。
【図２】同容器の用い方を示す斜視図である。
【図３】同容器の用い方を示す斜視図である。
【図４】アタッチメントを示す斜視図である。
【図５】アタッチメントを示す平面図および断面図である。
【図６】ハブと挿入孔の関係を示すハブの側面図、挿入孔の断面図である。
【図７】本容器の用い方を示す断面図である。
【図８】本容器の用い方を示す断面図である。
【図９】本容器の用い方を示す断面図である。
【図１０】本容器の用い方を示す断面図である。
【図１１】本容器の用い方を示す断面図である。
【図１２】本容器の用い方を示す断面図である。
【００１３】
図６〜図９において円筒状部及びハブの横断面はグレーで着色されている。
図４において第２部の上面はグレーで着色されている。
【発明を実施するための形態】
【００１４】
好ましくは、前記係合突起５２は前記円筒状面５の下半部にのみ設けられている。
【００１５】
円筒状面５の上半部にも係合突起５２が設けられている場合、円筒状面にハブの上部の外周面が接近しており、係合突起５２にハブが噛み込んで、ハブ２６を挿入孔５０に挿入することが難くなる。これに対し、円筒状面５の下半部のみに係合突起５２が設けられている場合、挿入孔５０にハブ２６を挿入し易く、噛み込むこともない。
【００１６】
好ましくは、前記軸線Ｓが鉛直線に沿って設定されている。
円筒状面５の軸線が鉛直線に沿っているので、シリンジの傾きを認識し易く、操作が容易になる。
【００１７】
好ましくは、前記外周規制部６の当接面６０は、
前記円筒状面５における前記係合突起５２が設けられた第１側面５Ａに配置された第１部６１と、
前記第１側面５Ａの反対側の第２側面５Ｂに配置された第２部６２とを包含し、
前記第１部６１の上面が前記第２部６２の上面よりも上方に突出して、両上面の間にレベル差ΔＨが形成され、前記シリンジ３０の先端面３２の傾き角θを規制することで前記シリンジ３０の傾き角θを規制するように構成されている。
【００１８】
この場合、シリンジの先端面３２が第１部６１および第２部６２の両方に当接した状態でシリンジ３０を回転させると、シリンジ３０の傾き角θが一定の状態でシリンジ３０およびハブが回転する。そのため、ハブが係合突起５２に係合した状態が安定して、再現性が向上し、針ユニット２７の取り外しが容易になる。
【００１９】
好ましくは、前記外周規制部６の当接面６０の第１部６１および第２部６２は前記蓋部１０の上面よりも上方に突出した座面を形成している。
【００２０】
第１部６１が蓋部１０の上面から上方に突出していないと、シリンジの先端面３２の外径が大きい場合、先端面３２の傾き角θが小さくなるのに対し、第１部６１および第２部６２の双方が蓋部１０の上面よりも上方に突出していることにより、前記外径にかかわらずシリンジの先端面３２が第１部６１および第２部６２に当接し、傾き角θが一定となる。
【００２１】
蓋部１０の一部として内蓋を設ける場合、前記蓋部１０の上面は内蓋の上面となる。また、蓋部１０としてアタッチメントを設ける場合、前記蓋部１０の上面はアタッチメントの上面となる。
【００２２】
好ましくは、前記円筒状面５の半径Ｒ１と係合突起５２の表面から前記軸線Ｓまでの距離Ｒ２との差をΔＲとしたとき、下記の式（１００）を満たす。
ΔＨ／Ｄ≦ΔＲ／Ｌ    ……（１００）
但し、Ｄ：外周規制部の内径
Ｌ：円筒状面の軸方向の長さ
【００２３】
シリンジ３０および針ユニット２７の傾き角θが大きくなりすぎると、ハブ２６が挿入孔５０の円筒状面５に噛み込んだ状態となって、取り外された針ユニット２７が容器１内に落下しない場合がある。これに対し傾き角θに近似した値ΔＨ／Ｄを小さく設定しておくことで、前記噛み込みによる不具合を防止し得る。
【００２４】
好ましくは、前記円筒状面５には前記円筒状面５の母線に沿って延びる溝Ｇが形成され、
前記溝Ｇを定義する表面に前記係合突起５２が設けられている。
【００２５】
この場合、溝Ｇが形成されていることにより、係合突起５２を形成する部分の金型を上方に型抜きすることができると共に、同金型の肉厚を大きくでき金型の耐久性も向上する。
【００２６】
好ましくは、前記挿入孔５０は前記蓋部１０に設けられた廃棄用の唯一の孔である。
挿入孔５０が唯一の孔である場合、容器外へ針ユニット２７が飛び出し難い。
【実施例】
【００２７】
以下、本発明の一実施例を図面にしたがって説明する。
【００２８】
廃棄用の容器を説明するに先立ち、まず、自己注射に用いるための周知のペン型注射器の一例について説明する。
【００２９】
図３および図６に示すように、ペン型注射器は、シリンジ３０と針ユニット２７からなる。針ユニット２７は、カヌラ２５と当該カヌラ２５の一部を囲繞するハブ２６とを有する。図１２のハブ２６はシリンジ３０の先端部の雄ネジ３１に螺合する雌ネジ２８を有しシリンジ３０に対し着脱される。
【００３０】
図６の前記ペン型注射器を用いて医薬品の投与を行うには、投与量を該ペン型注射器に設定した後、カヌラ２５を患者の体に挿入して、該ペン型注射器内に予め投入された医薬品を患者の体内に投与する。
【００３１】
前記注射を行う毎に、針ユニット２７をシリンジ３０から取り外し、注射を行う度に新たな針ユニット２７をシリンジ３０に装着する。
なお、ペン型注射器の詳しい構造はＪＰ５，３９４，５２０  Ｂ２の図２および段落００１９〜００２０に記載されている。
【００３２】
前記針ユニット２７は、注射を行う毎に取り外して廃棄される。
以下、針ユニット２７の取り外しおよび廃棄を行うための容器１の構造について説明する。
【００３３】
図１および図２に示すように、前記容器１は例えば円筒状の容器であり、図１の収容部１２と、内蓋１３および外蓋１４を含む蓋部１０とを備えている。
前記内蓋１３および外蓋１４は一体に成形され、内蓋１３と外蓋１４の間は薄肉部（ヒンジ）１５となっている。内蓋１３は、収容部１２の上部にネジで螺合しており、外蓋１４は、薄肉部１５を中心に回転可能となっている。
【００３４】
前記内蓋１３は、その上面にアタッチメント７が装着される開口（貫通口）１６を備えている。アタッチメント７は蓋部１０の一部を構成する。
【００３５】
図２の前記薄肉部１５は容器１の背面側に設けられている。図３の容器１内に収納された使用済の針ユニット２７の廃棄を行う場合には、図２（ｂ）のように、外蓋１４を正面側に向って回動させ、閉じた上で、容器１ごと多数の針ユニット２７を廃棄する。
【００３６】
図１において、前記容器は、前記針ユニット２７を収容する収容部１２と、前記収容部１２の上部に配置された蓋部１０とが図示しない雄ネジと雌ネジで互いに螺合していてもよいが、樹脂弾性で互いに固く嵌合する構造であってもよい。
【００３７】
図３において、本容器１は前記針ユニット２７を前記アタッチメント７の円形状の挿入孔５０に挿入し、前記針ユニット２７の回転を規制した状態で前記シリンジ３０を回転させ、前記挿入孔５０に前記針ユニット２７を挿入したままの状態で前記針ユニット２７を前記シリンジ３０から分離するためのものである。
【００３８】
図３において、前記挿入孔５０は針ユニット２７を収容部１２内に向って挿入する孔で、前記蓋部１０に設けられた廃棄用の唯一の孔である。前記挿入孔５０は前記蓋部１０の一部として収容部１２に装着されたアタッチメント７に形成されている。図４、図５の符号１８はアタッチメント７の装着突起で、装着後にアタッチメント７が図１の開口１６から離脱するのを防止する。なお、開口１６およびアタッチメント７を設けずに、内蓋部１３に前記挿入孔を直接設けてもよい。
【００３９】
図４において、前記アタッチメント７には円形状の前記挿入孔５０が設けられている。この挿入孔５０は前記蓋部１０に形成され前記針ユニット２７を前記収容部１２内に向って挿入するためのもので、円筒状面５で定義されている。
【００４０】
前記円筒状面５には前記円筒状面５の母線に沿って延びる一対の溝Ｇが形成されている。前記各溝Ｇの表面には一対の係合突起５２が設けられている。
【００４１】
図５の前記係合突起５２は前記円筒状面５の下部から前記円筒状面５の軸線Ｓに向かって突出し、図９のように、前記挿入された針ユニット２７のバブ２６の外周面に係合する。前記係合突起５２は前記円筒状面５の下半部のみに設けられている。
なお、図８の軸線Ｓは鉛直線に沿って設定されている。
【００４２】
図４の前記アタッチメント７の上面には鍔状の外周規制部６が形成されている。この外周規制部６は前記蓋部１０（アタッチメント７）の上面において図７および図８の前記シリンジ３０の先端面３２が当接する当接面（座面）６０を形成する。前記外周規制部６は前記円筒状面５よりも内径が小さく、前記円筒状面５の中心に向かって円環状に突出しており、前記挿入孔５０に挿入された前記ハブ２６が径方向に位置ズレするのを規制する。
【００４３】
図６の前記外周規制部６の当接面６０は、第１部６１および第２部６２を包含する。前記第１部６１は前記円筒状面５における前記係合突起５２が設けられた第１側面５Ａ側に配置されている。
前記第２部６２は前記第１側面５Ａの反対側の第２側面５Ｂ側に配置されている。前記外周規制部６の当接面６０の第１部６１および第２部６２は前記アタッチメント７の当接面６０のまわりの上面６３よりも上方に突出している。
【００４４】
前記第１部６１の上面（座面）は前記第２部６２の上面（座面）よりも上方に突出している。両上面（座面）の間にはレベル差ΔＨが形成され、図８の前記シリンジ３０の先端面３２の傾き角を規制することで前記シリンジ３０の傾き角θを規制するように構成されている。なお、第１部６１および第２部６２を勾配が角θの傾斜面にして前記レベル差ΔＨを形成し、前記傾き角θを規制するように構成してもよい。
【００４５】
図６の前記円筒状面５の半径Ｒ１と係合突起５２の表面から前記軸線Ｓまでの距離Ｒ２との差をΔＲとしたとき、下記の式（１００）を満たす。
ΔＨ／Ｄ≦ΔＲ／Ｌ    ……（１００）
但し、Ｄ：外周規制部の内径
Ｌ：円筒状面の軸方向の長さ
【００４６】
つぎに、本容器１の用い方について説明する。
図２（ｂ）に示すように、使用しない場合や携帯する場合、容器１の収容部１２は蓋部１０により閉塞されている。使用する場合、図２（ａ）の外蓋１４を開く。
【００４７】
図６のシリンジ３０から針ユニット２７を取り外すには、図７のように針ユニット２７を挿入孔５０に挿入し、シリンジ３０の先端面３２を座面６０の第１部に当接させる。この挿入の際にはシリンジ３０および針ユニット２７の軸線を挿入孔５０の軸線Ｓに概ね合致させる。
【００４８】
ついで、図８（ａ）のように、係合突起５２にハブ２６の外周面Ｆに形成された小さな凹凸が係合するように、ペン型注射器を若干傾ける。ハブの外周面Ｆの下端側が係合突起５２に向かう方向にシリンジ３０を角θだけ傾ける。なお、傾ける方向は例えば、図１の外蓋１４側に向かって傾けてもよいし、その反対側に傾けるようにしてもよい。
【００４９】
この傾けた状態において、シリンジ３０の先端部３２は、座面６０の第１部６１および第２部６２の双方に当接する。そのため、シリンジ３０の傾き角θは一定に保たれる。したがって、図８（ｂ）および（ｃ）のハブ２６の外周面Ｆが係合突起５２に係合した状態にバラツキが生じにくい。
なお、係合突起５２の幅は外周面Ｆの凹部に対し若干の隙間Δが生じるように設定されている。
【００５０】
この傾けた状態で、シリンジ３０を図８（ａ）の矢印方向に回転させることで、図９（ａ）〜（ｃ）のように、ハブ２６に係合突起５２が係合し、シリンジ３０がハブ２６に対し回転する。
【００５１】
前記回転を続けると、図１０のシリンジ３０とハブ２６との螺合が解ける（外れる）。しかし、この状態ではハブ２６内のカヌラ２５がシリンジ３０内のゴム３９に刺さっているため、ハブ２６はシリンジ３０から離脱していない。
【００５２】
前記シリンジ３０内のゴムに刺さったカヌラ２５をゴムから抜くために、図１１のように、ハブ２６の上端面を鍔状の外周規制部６に引っ掛ける（係合させる）。その後、この状態で図１２のようにシリンジ３０を軸線Ｓ方向に引き抜くことで、前記カヌラ２５がゴム３９から抜け、針ユニット２７が下方に落下する。これにより、針ユニット２７が図２の収容部１２内に収容される。
【００５３】
前記使用後は、図２の外蓋１４を内蓋１３に嵌着させる。収容部１２内に所定量以上の針ユニット２７が留まったら多数の針ユニット２７を容器１ごと医療廃棄物として廃棄する。
【００５４】
前記針ユニット２７は小さく前記収容部１２に多数収容でき、医療廃棄物の廃棄効率が飛躍的に向上する。すなわち、収容部１２には針ユニット２７のみが収容され、針ケースは一般ごみとして廃棄できるので、１つの小さな容器１で多数本の針ユニット２７を廃棄することができる。
【産業上の利用可能性】
【００５５】
本発明はペン型注射器の針ユニットの廃棄用容器として用いることができる。
【符号の説明】
【００５６】
１：容器  １０：蓋部  １２：収容部  １３：内蓋  １４：外蓋
１５：ヒンジ  １６：開口  １８：装着突起
２５：カヌラ  ２６：ハブ  ２７：針ユニット  ２８：雌ネジ
３０：シリンジ  ３１：雄ネジ  ３２：先端面  ３９：ゴム
５：円筒状面  ５０：挿入孔  ５Ａ：第１側面  ５Ｂ：第２側面  ５２：係合突起
６：外周規制部  ６０：当接面（座面）  ６１：第１部  ６２：第２部
７：アタッチメント
Ｆ：外周面
Ｓ：軸線  Ｄ：外周規制部の内径  Ｌ：円筒状面の軸方向の長さ  Ｇ：溝
ΔＨ：レベル差  ΔＲ：差
【図１】
2020150992.tif 000003
【図２】
2020150992.tif 000004
【図３】
2020150992.tif 000005
【図４】
2020150992.tif 000006
【図５】
2020150992.tif 000007
【図６】
2020150992.tif 000008
【図７】
2020150992.tif 000009
【図８】
2020150992.tif 000010
【図９】
2020150992.tif 000011
【図１０】
2020150992.tif 000012
【図１１】
2020150992.tif 000013
【図１２】
2020150992.tif 000014